(57)【要約】  本発明は、マシンタイプ通信ベースの通信システムのユーザ機器において、検出および報告の方法および装置を提案する。ＭＴＣユーザ機器は最初に所定のイベントが発生したかどうかを検出し、所定のイベントが発生した場合、ＭＴＣユーザ機器は第１のレポート・メッセージを１つまたは複数のサーバに伝送する。本発明の技術的解決策により、ＭＴＣユーザ機器は、所定のイベント、例えば、ＭＴＣユーザ機器が盗まれる、ＭＴＣユーザ機器が不法移動する、ＭＴＣユーザ機器が損傷を受ける、ＭＴＣユーザ機器が電源を切られる、または、ＭＴＣユーザ機器によって測定された所定のデータ値が所定の閾値を上回るかもしくは下回る、の発生を検出し、ＭＴＳサーバに通知することができる。ＭＴＣサーバは、関連条件を取得して、例えば、ＭＴＣユーザ機器を復元する、ＭＴＣユーザ機器のユーザに請求する、ＭＴＣユーザ機器のユーザに課金する、などのさらなるアクションを取ることができる。
2013519263.tif 000002
【特許請求の範囲】
【請求項１】
マシンタイプ通信ベースの通信システムのユーザ機器において検出および報告する方法であって、
ａ．所定のイベントが発生したかどうかを検出するステップと、
ｂ．前記所定のイベントが発生した場合第１のレポート・メッセージを１つまたは複数のサーバに伝送するステップと
を含む方法。
【請求項２】
前記ステップｂの後に、
ｃ．第２のレポート・メッセージを前記１つまたは複数のサーバに伝送するステップ
をさらに含む、請求項１に記載の方法。
【請求項３】
前記所定のイベントが、
−  前記ユーザ機器が盗まれる、
−  前記ユーザ機器が不法移動する、
−  前記ユーザ機器が損傷を受ける、
−  前記ユーザ機器が電源を切られる、および
−  前記ユーザ機器によって測定された所定のデータ値が所定の閾値を上回るかまたは下回る
のうちのいずれか１つを含む、請求項１に記載の方法。
【請求項４】
前記ステップｂが、前記第１のレポート・メッセージを前記１つまたは複数のサーバにショート・メッセージを介して伝送するステップをさらに含む、請求項１に記載の方法。
【請求項５】
前記ステップｂが、
−  前記第１のレポート・メッセージを符号化するステップと、
−  前記符号化された第１のレポート・メッセージを前記１つまたは複数のサーバに伝送するステップと
をさらに含む、請求項１に記載の方法。
【請求項６】
前記ステップｃが、前記第２のレポート・メッセージを前記１つまたは複数のサーバにショート・メッセージを介して伝送するステップをさらに含む、請求項２に記載の方法。
【請求項７】
前記ステップｃが、
−  前記第２のレポート・メッセージを符号化するステップと、
−  前記符号化された第２のレポート・メッセージを前記１つまたは複数のサーバに伝送するステップと
をさらに含む、請求項２に記載の方法。
【請求項８】
前記符号化がターボ符号化である、請求項４乃至７のいずれか１項に記載の方法。
【請求項９】
マシンタイプ通信ベースの通信システムのユーザ機器において検出および報告する検出兼報告装置であって、
所定のイベントが発生したかどうかを検出するための第１の検出装置と、
前記所定のイベントが発生した場合第１のレポート・メッセージを１つまたは複数のサーバに伝送するための第１の伝送装置と
を含む、検出兼報告装置。
【請求項１０】
第２のレポート・メッセージを前記１つまたは複数のサーバに伝送するための第２の伝送装置
をさらに含む、請求項９に記載の検出兼報告装置。
【請求項１１】
前記所定のイベントが、
−  前記ユーザ機器が盗まれる、
−  前記ユーザ機器が不法移動する、
−  前記ユーザ機器が損傷を受ける、
−  前記ユーザ機器が電源を切られる、および
−  前記ユーザ機器によって測定された所定のデータ値が所定の閾値を上回るかまたは下回る
のうちのいずれか１つを含む、請求項９に記載の検出兼報告装置。
【請求項１２】
前記第１の伝送装置が、さらに前記第１のレポート・メッセージを前記１つまたは複数のサーバにショート・メッセージを介して伝送するためにある、請求項９に記載の検出兼報告装置。
【請求項１３】
前記第１の伝送装置が、
前記第１のレポート・メッセージを符号化するための第１の符号化装置と、
前記符号化された第１のレポート・メッセージを前記１つまたは複数のサーバに伝送するための第３の伝送装置と
をさらに含む、請求項９に記載の検出兼報告装置。
【請求項１４】
前記第２の伝送装置が、さらに前記第２のレポート・メッセージを前記１つまたは複数のサーバにショート・メッセージを介して伝送するためにある、請求項１０に記載の検出兼報告装置。
【請求項１５】
前記第２の伝送装置が、
前記第２のレポート・メッセージを符号化するための第２の符号化装置と、
前記符号化された第２のレポート・メッセージを前記１つまたは複数のサーバに伝送するための第４の伝送装置と
をさらに含む、請求項１０に記載の検出兼報告装置。
【発明の詳細な説明】
【技術分野】
【０００１】
本開示は通信システムに関し、詳細には、マシンタイプ通信（ＭＴＣ）ベースの通信システムに関する。
【背景技術】
【０００２】
マシン対マシン（Ｍ２Ｍ）は、１つの端末から別の端末へのデータ伝送、すなわち、ＧＳＭ／ＧＰＲＳモジュール、ＵＭＴＳ／ＨＳＤＰＡモジュールおよびＣＤＭＡ／ＥＶＤＯモジュールを介したマシン間のデータ交換を意味する。現在、Ｍ２Ｍは、一般に、安全監視、自動販売機、公共交通システム、車両監視、ＧＰＳの測位、スケジューリングおよび管理、リモート・メータ読取り管理、産業フロー自動化、電気機械類、都市情報化などの分野において適用される。
【０００３】
３ＧＰＰ  ＴＳ  ２３．８８８によれば、ＭＴＣユーザ機器が盗まれるか、不法移動するか、突然損傷を受けるか、または電源が切られると、ＭＴＣユーザ機器はこれらの発生を検出し、発生をＭＴＳサーバに通知することができる。関連情報を収集すると、ＭＴＣサーバは、例えば、ＭＴＣユーザ機器を復元する、ＭＴＣユーザ機器のユーザに請求または課金するなどの、さらなるアクションを取ることができる。
【０００４】
しかしながら、上記の問題に対して、今までのところ有効な解決策は存在しない。
【発明の概要】
【課題を解決するための手段】
【０００５】
この点から見て、本発明の実施形態によれば、マシンタイプ通信ベースの通信システムのユーザ機器において、検出および報告する方法が提供される。方法は、ａ．所定のイベントが発生したかどうかを検出するステップ、および、ｂ．所定のイベントが発生した場合第１のレポート・メッセージを１つまたは複数のサーバに伝送するステップを含む。
【０００６】
任意選択で、ステップｂの後に、方法は、ｃ．第２のレポート・メッセージを１つまたは複数のサーバに伝送するステップをさらに含む。
【０００７】
任意選択で、所定のイベントは、
−  ユーザ機器が盗まれる、
−  ユーザ機器が不法移動する、
−  ユーザ機器が損傷を受ける、
−  ユーザ機器が電源を切られる、および
−  ユーザ機器によって測定された所定のデータ値が所定の閾値を上回るかまたは下回る
のうちのいずれか１つを含む。
【０００８】
任意選択で、ステップｂは、
−  第１のレポート・メッセージを符号化するステップ、および
−  符号化された第１のレポート・メッセージを１つまたは複数のサーバに伝送するステップ
をさらに含む。
【０００９】
任意選択で、ステップｂは、第１のレポート・メッセージを１つまたは複数のサーバにショート・メッセージを介して伝送するステップをさらに含む。
【００１０】
任意選択で、ステップｃは、第２のレポート・メッセージを１つまたは複数のサーバにショート・メッセージを介して伝送するステップをさらに含む。
【００１１】
任意選択で、ステップｃは、第２のレポート・メッセージを符号化するステップ、および符号化された第２のレポート・メッセージを１つまたは複数のサーバに伝送するステップをさらに含む。
【００１２】
任意選択で、符号化はターボ符号化である。
【００１３】
本発明の別の実施形態によれば、マシンタイプ通信ベースの通信システムのユーザ機器の中の、検出および報告する検出兼報告装置が提供される。検出兼報告装置は、所定のイベントが発生したかどうかを検出するための第１の検出装置、および、所定のイベントが発生した場合第１のレポート・メッセージを１つまたは複数のサーバに伝送するための第１の伝送装置を含む。
【００１４】
任意選択で、検出兼報告装置は、第２のレポート・メッセージを１つまたは複数のサーバに伝送するための第２の伝送装置をさらに含む。
【００１５】
任意選択で、所定のイベントは、
−  ユーザ機器が盗まれる、
−  ユーザ機器が不法移動する、
−  ユーザ機器が損傷を受ける、
−  ユーザ機器が電源を切られる、および
−  ユーザ機器によって測定された所定のデータ値が所定の閾値を上回るかまたは下回る
のうちのいずれか１つを含む。
【００１６】
任意選択で、第１の伝送装置は、さらに第１のレポート・メッセージを１つまたは複数のサーバにショート・メッセージを介して伝送するためにある。
【００１７】
任意選択で、第１の伝送装置は、第１のレポート・メッセージを符号化するための第１の符号化装置、および、符号化された第１のレポート・メッセージを１つまたは複数のサーバに伝送するための第３の伝送装置をさらに含む。
【００１８】
任意選択で、第２の伝送装置は、さらに第２のレポート・メッセージを１つまたは複数のサーバにショート・メッセージを介して伝送するためにある。
【００１９】
任意選択で、第２の伝送装置は、第２のレポート・メッセージを符号化するための第２の符号化装置、および、符号化された第２のレポート・メッセージを１つまたは複数のサーバに伝送するための第４の伝送装置をさらに含む。
【００２０】
本発明の技術的解決策により、ＭＴＣユーザ機器は、例えば、ＭＴＣユーザ機器が盗まれるか、不法移動するか、突然損傷を受けるか、または電源が切られるなどの、所定のイベントの発生を検出し、ＭＴＳサーバに通知することができる。関連情報を取得すると、ＭＴＣサーバは、例えば、ＭＴＣユーザ機器を復元する、ＭＴＣユーザ機器のユーザに請求または課金する、などのさらなるアクションを取ることができる。
【００２１】
本発明の他の目的、特徴および利点は、図面を参照して、限定的でない実施形態の以下の説明からより明白で顕著になる。
【図面の簡単な説明】
【００２２】
【図１】本発明による、マシンタイプ通信ベースの通信システムのネットワーク・トポロジー図である。
【図２】本発明の実施形態による、マシンタイプ通信ベースの通信システムのユーザ機器において、検出および報告する方法の流れ図である。
【図３】本発明の実施形態による、マシンタイプ通信ベースの通信システムのユーザ機器の中の検出兼報告装置の構造ブロック図である。
【発明を実施するための形態】
【００２３】
同一または同様の参照数字は、同一または同様のステップ、特徴／装置（モジュール）を表す。
【００２４】
本発明の技術的解決策が、図面を参照して、下記に記載される。
【００２５】
図１は、本発明による、マシンタイプ通信ベースの通信システムのネットワーク・トポロジー図を示す。
【００２６】
図１では、ＭＴＣユーザ機器１およびＭＴＣサーバ２を示す。ＭＴＣユーザ機器１およびＭＴＣユーザ・サーバ２は、公的地域モバイルネットワーク（ＰＬＭＮ）を介してお互いと通信する。一実施形態では、１つまたは複数のネットワーク装置、例えばＭＴＣサーバ２とＭＴＣユーザ機器１の間のデータ転送および信号伝達に関与する基地局は、さらにＭＴＣサーバ２とＭＴＣユーザ機器１の間に含むことができる。
【００２７】
ＭＴＣユーザ機器１には、モバイル電話、パーソナル・コンピュータ、インテリジェント電気メータ、カメラ、車載装置、医療装置、などが含まれるが、それらに限定されない。
【００２８】
ＭＴＣサーバ２には、コンピュータ端末、データベース、管理プログラム、などが含まれるが、それらに限定されない。
【００２９】
ＭＴＣサーバ２と通信するＭＴＣユーザ機器が１台だけ示されたが、マシンタイプ通信ベースの通信システムは、特定のアプリケーションにおいてＭＴＣサーバと通信する複数の関連ＭＴＣユーザ機器を含むことができることを、当業者は理解されよう。その説明の繰り返しは、簡潔にするために本明細書では省略される。
【００３０】
図２は、本発明の実施形態による、マシンタイプ通信ベースの通信システムのユーザ機器において、検出および報告する方法の流れ図を示す。図２で示される方法の流れ図は、図１を参照して下記に詳細に記載される。ここでは図１の前述の説明に対する参照もなされる。
【００３１】
最初に、ステップＳ１１において、ＭＴＣユーザ機器１は所定のイベントが発生したかどうかを検出する。
【００３２】
任意選択で、所定のイベントは、
−  ユーザ機器１が盗まれる、
−  ユーザ機器１が不法移動する、
−  ユーザ機器１が損傷を受ける、
−  ユーザ機器１が電源を切られる、
−  ユーザ機器１によって測定された所定のデータ値が所定の閾値を上回る、および
−  ユーザ機器１によって測定された所定のデータ値が所定の閾値を下回る
のうちのいずれか１つを含む。
【００３３】
上に列記された所定のイベントは例示目的のためのみであることが留意され、本発明の所定のイベントには、前述のいくつかの例が含まれるがそれらに限定されないことを当業者は理解されよう。その説明の繰り返しは、簡潔にするために本明細書では省略される。
【００３４】
一実施形態では、ＭＴＣユーザ機器１は、例えば、ブート・パスワードが誤って入力される、電線が切断される、などのトリガ条件を検出することにより、ＭＴＣユーザ機器１が盗まれたと判定することができる。
【００３５】
別の実施形態では、ＭＴＣユーザ機器１は、例えばＧＰＳ測位により、ＭＴＣユーザ機器が不法移動したことを検出することができる。例えば、ＭＴＣユーザ機器１が車載装置であり、車載装置が実装されたタクシーが指定区域を越えて移動すると、車載装置はＧＰＳ測位により、タクシーが指定区域を越えて移動し不法移動したと判定することができる。
【００３６】
さらなる実施形態では、ＭＴＣユーザ機器１は、測定された所定のデータ値を所定の閾値と比較することができ、所定のデータ値が所定の閾値を上回ったかまたは下回った場合、ＭＴＣユーザ機器１は所定のイベントの発生を判定する。例えば、ＭＴＣユーザ機器１が温度センサであり、温度センサが現在の周囲の温度値を測定した後、温度センサは周囲の温度値を所定の閾値と比較する。測定された現在の周囲の温度値が所定の閾値を上回った場合、火事の潜在的発生が判定される。
【００３７】
ＭＴＣユーザ機器１が所定のイベントの発生を検出した場合、ステップＳ１２において、ＭＴＣユーザ機器１は第１のレポート・メッセージをＭＴＣサーバ２に伝送する。
【００３８】
一実施形態では、所定のイベントがＭＴＣユーザ機器１の不法移動である場合、例えば、ＭＴＣユーザ機器１が実装されたタクシーが指定区域を越えて移動した場合、第１のレポート・メッセージは、ＭＴＣユーザ機器１が現在位置する地理的な位置情報を含む。
【００３９】
別の実施形態では、所定のイベントが、ＭＴＣユーザ機器１によって測定された所定のデータ値が所定の閾値を上回ることである場合、例えば、ＭＴＣユーザ機器１によって検出された現在の周囲の温度が所定の閾値を上回った場合、第１のレポート・メッセージは現在の周囲の温度情報を含む。
【００４０】
ＭＴＣユーザ機器１が所定のイベントの発生を検出すると、任意選択で、ＭＴＣユーザ機器１は、ショート・メッセージ（ＳＭＳ）または汎用パケット無線サービス（ＧＰＲＳ）を介して、第１のレポート・メッセージをＭＴＣサーバ２に伝送する。
【００４１】
伝送エラーの発生、データの損失または他の状況を回避するために、一実施形態では、ＭＴＣユーザ機器１は、最初に第１のレポート・メッセージを符号化し、次いで符号化された第１のレポート・メッセージをＭＴＣサーバ２に伝送する。
【００４２】
任意選択で、符号化には、ターボ符号化、ＣＲＣ（巡回冗長検査）符号化などが含まれるが、それらに限定されない。
【００４３】
別の実施形態では、ＭＴＣユーザ機器１は、さらに第１のレポート・メッセージを１つまたは複数の到達可能なＭＴＣサーバに伝送することができる。
【００４４】
第１のレポート・メッセージをＭＴＣユーザ機器１から受信すると、ＭＴＣサーバ２は、第１のレポート・メッセージに応じて取られるべき対応するアクションを決定する。例えば、ＭＴＣユーザ機器１が復元される、ＭＴＣユーザ機器１に提供されたサービスが終了する、ＭＴＣユーザ機器１のユーザが追加料金を課金される、など。
【００４５】
一実施形態では、ＭＴＣユーザ機器１がカメラであり、所定のイベントがカメラの損傷である場合、ＭＴＣサーバ２が第１のレポート・メッセージをＭＴＣユーザ機器１から受信した後、修理工を派遣して、その正常動作を保証するために直ちにカメラを修理または交換することができる。
【００４６】
一実施形態では、ＭＴＣユーザ機器１が車載装置であり、所定のイベントが、車載装置が実装されたタクシーが指定区域を越えて移動することである場合、ＭＴＣサーバ２が第１のレポート・メッセージをＭＴＣユーザ機器１から受信した後、第１のレポート・メッセージの中に含まれるタクシーの地理的な位置情報に応じて、追加料金をテナントに課金することができる。
【００４７】
ＭＴＣユーザ機器１が第１のレポート・メッセージをＭＴＣサーバ２に伝送した後、任意選択で、ステップＳ１３において、ＭＴＣユーザ機器１は引き続き第２のレポート・メッセージをＭＴＣサーバ２に伝送することができる。
【００４８】
任意選択で、ＭＴＣユーザ機器１は、第１のレポート・メッセージをＭＴＣサーバ２に伝送した後、能動的に第２のレポート・メッセージをＭＴＣサーバ２に伝送することができる。例えば、ＭＴＣユーザ機器１は周期的に第２のレポート・メッセージをＭＴＣサーバに伝送する。
【００４９】
あるいは、ＭＴＣユーザ機器１は、受動的に第２のレポート・メッセージをＭＴＣサーバ２に伝送することができる。例えば、ＭＴＣユーザ機器１は、ＭＴＣサーバ２から要求メッセージを受信するまで、第２のレポート・メッセージをＭＴＣサーバ２に伝送しない。
【００５０】
任意選択で、ＭＴＣサーバ１は、ショート・メッセージ（ＳＭＳ）または汎用パケット無線サービス（ＧＰＲＳ）を介して、第２のレポート・メッセージをＭＴＣサーバに伝送する。
【００５１】
伝送エラーの発生、データの損失または他の状況を回避するために、一実施形態では、ＭＴＣユーザ機器１は、最初に第２のレポート・メッセージを符号化し、次いで符号化された第２のレポート・メッセージをＭＴＣサーバ２に伝送する。
【００５２】
任意選択で、符号化には、ターボ符号化、ＣＲＣ（巡回冗長検査）符号化、などが含まれるが、それらに限定されない。
【００５３】
別の実施形態では、ＭＴＣユーザ機器１は、さらに第２のレポート・メッセージを１つまたは複数の到達可能なＭＴＣサーバに伝送することができる。
【００５４】
一実施形態では、ＭＴＣユーザ機器１は車載装置であり、所定のイベントは、車載装置が実装されたタクシーが指定区域を越えて移動することである。ＭＴＣユーザ機器１が所定のイベントの発生を検出すると、ＭＴＣユーザ機器１は第１のレポート・メッセージをＭＴＣサーバ２に伝送する。第１のレポート・メッセージは、ＭＴＣユーザ機器１が現在位置している地理的な位置情報を含む。
【００５５】
タクシーが指定区域を越えて移動し続けると、ＭＴＣユーザ機器１は、第２のレポート・メッセージを介して、タクシーの地理的な位置情報をＭＴＣサーバに絶えず伝送する。
【００５６】
ＭＴＣサーバ２は、第２のレポート・メッセージの中に含まれる地理的な位置情報により、指定区域を越えたタクシーの移動経路を知り、それによってユーザに追加料金を課金することができる。
【００５７】
一実施形態では、ＭＴＣユーザ機器１は温度センサであり、所定のイベントは、温度センサによって測定された現在の周囲の温度値が所定の閾値を上回ることである。ＭＴＣユーザ機器１が所定のイベントの発生を検出すると、ＭＴＣユーザ機器１は第１のレポート・メッセージをＭＴＣサーバ２に伝送する。第１のレポート・メッセージは、温度センサによって測定された現在の周囲の温度値を含む。
【００５８】
その後、温度センサは、現在の周囲の温度値を絶えず検出し、第２のレポート・メッセージを介して、検出された現在の周囲の温度値を絶えずＭＴＣサーバ２に伝送する。
【００５９】
ＭＴＣサーバ２は、第２のレポート・メッセージの中に含まれる周囲の温度値に応じて、関連アクションを取って火事を防止する。
【００６０】
１台のＭＴＣユーザ機器１が所定のイベントが発生したかどうかを検出し、次いで、第１のレポート・メッセージをＭＴＣサーバに伝送する本発明の技術的解決策が単に例として上述されたことに留意されたい。
【００６１】
マシンタイプ通信ベースの通信システムの別の実施形態では、複数の関連ＭＴＣユーザ機器を含むことができ、複数の関連ＭＴＣユーザ機器が所定のイベントの発生を同時に検出すると、任意選択で、複数の関連ＭＴＣユーザ機器は、第１のレポート・メッセージを１つだけＭＴＣサーバに伝送することができる。
【００６２】
任意選択で、ＭＴＣサーバは、複数の関連ＭＴＣユーザ機器のうちのどの１台が、所定のイベントが発生すると第１のレポート・メッセージをＭＴＣサーバに伝送するかを、あらかじめ指定することができる。
【００６３】
あるいは、複数のＭＴＣサーバは、第１のレポート・メッセージをＭＴＣサーバに伝送するために、お互いに調整して複数のＭＴＣユーザ機器のうちの１台を選択することができる。
【００６４】
多数のＭＴＣユーザ機器がある場合、任意選択で、リソースの利用率と伝送の信頼性との間のトレードオフを目的として、伝送される第１のレポート・メッセージを符号化しながら、伝送される第１のレポート・メッセージの数は可能なかぎり最大限に削減される。
【００６５】
本発明の技術的解決策が方法のステップの観点から上述され、さらに、本発明の技術的解決策が装置モジュールの観点から下記に記載される。
【００６６】
図３は、本発明の実施形態による、マシンタイプ通信ベースの通信システムのユーザ機器の中の検出兼報告装置の構造ブロック図を示す。図３において示される検出兼報告装置１０は、図１を参照して下記に詳細に記載される。ここでは図１の前述の説明に対する参照もなされる。
【００６７】
図３において、検出兼報告装置１０は、第１の検出装置１０１、第１の伝送装置１０２および第２の伝送装置１０３を含む。
【００６８】
最初に、ＭＴＣユーザ機器１の検出兼報告装置１０の中に含まれる第１の検出装置１０１は、所定のイベントが発生したかどうかを検出する。
【００６９】
任意選択で、所定のイベントは、
−  ユーザ機器１が盗まれる、
−  ユーザ機器１が不法移動する、
−  ユーザ機器１が損傷を受ける、
−  ユーザ機器１が電源を切られる、
−  ユーザ機器１によって測定された所定のデータ値が所定の閾値を上回る、および
−  ユーザ機器１によって測定された所定のデータ値が所定の閾値を下回る
のうちのいずれか１つを含む。
【００７０】
上に列記された所定のイベントは例示目的のためのみであることが留意され、本発明の所定のイベントには、前述のいくつかの例が含まれるがそれらに限定されないことを当業者は理解されよう。その説明の繰り返しは、簡潔にするために本明細書では省略される。
【００７１】
一実施形態では、検出兼報告装置１０の中に含まれる第１の検出装置１０１は、例えば、ブート・パスワードが誤って入力される、電線が切断される、などのトリガ条件を検出することにより、ＭＴＣユーザ機器１が盗まれたと判定することができる。
【００７２】
別の実施形態では、第１の検出装置１０１は、例えば、ＧＰＳ測位により、ＭＴＣユーザ機器が不法移動したことを検出することができる。例えば、ＭＴＣユーザ機器１が車載装置であり、車載装置が実装されたタクシーが指定区域を越えて移動すると、車載装置はＧＰＳ測位により、タクシーが指定区域を越えて移動し不法移動したと判定することができる。
【００７３】
さらなる実施形態では、第１の検出装置１０１は、測定された所定のデータ値を所定の閾値と比較することができ、所定のデータ値が所定の閾値を上回ったかまたは下回った場合、ＭＴＣユーザ機器１は所定のイベントの発生を判定する。例えば、ＭＴＣユーザ機器１が温度センサであり、温度センサが現在の周囲の温度値を測定した後、温度センサは周囲の温度値を所定の閾値と比較する。測定された現在の周囲の温度値が所定の閾値を上回った場合、火事の潜在的発生が判定される。
【００７４】
第１の検出装置１０１が所定のイベントの発生を検出した場合、検出兼報告装置１０の中に含まれる第１の伝送装置１０２は、第１のレポート・メッセージをＭＴＣサーバ２に伝送する。
【００７５】
一実施形態では、所定のイベントがＭＴＣユーザ機器１の不法移動である場合、例えば、ＭＴＣユーザ機器１が実装されたタクシーが指定区域を越えて移動する場合、第１のレポート・メッセージは、ＭＴＣユーザ機器１が現在位置する地理的な位置情報を含む。
【００７６】
別の実施形態では、所定のイベントが、ＭＴＣユーザ機器１によって測定された所定のデータ値が所定の閾値を上回ることである場合、例えば、ＭＴＣユーザ機器１によって検出された現在の周囲の温度が所定の閾値を上回った場合、第１のレポート・メッセージは現在の周囲の温度情報を含む。
【００７７】
第１の検出装置１０１が所定のイベントの発生を検出すると、任意選択で、第１の伝送装置１０２は、ショート・メッセージ（ＳＭＳ）または汎用パケット無線サービス（ＧＰＲＳ）を介して、第１のレポート・メッセージをＭＴＣサーバ２に伝送する。
【００７８】
伝送エラーの発生、データの損失または他の状況を回避するために、一実施形態では、最初に、第１の伝送装置１０２の中に含まれる第１の符号化装置（簡潔にするために図３には示されず）は第１のレポート・メッセージを符号化し、次いで、第１の伝送装置１０２の中に含まれる第３の伝送装置（簡潔にするために図３には示されず）は符号化された第１のレポート・メッセージをＭＴＣサーバ２に伝送する。
【００７９】
任意選択で、符号化には、ターボ符号化、ＣＲＣ（巡回冗長検査）符号化などが含まれるが、それらに限定されない。
【００８０】
別の実施形態では、第１の伝送装置１０２は、さらに第１のレポート・メッセージを１つまたは複数の到達可能なＭＴＣサーバに伝送することができる。
【００８１】
第１のレポート・メッセージをＭＴＣユーザ機器１から受信すると、ＭＴＣサーバ２は、第１のレポート・メッセージに応じて取られるべき対応するアクションを決定する。例えば、ＭＴＣユーザ機器１が復元される、ＭＴＣユーザ機器１に提供されたサービスが終了する、ＭＴＣユーザ機器１のユーザが追加料金を課金される、など。
【００８２】
一実施形態では、ＭＴＣユーザ機器１がカメラであり、所定のイベントがカメラの損傷である場合、ＭＴＣサーバ２が第１のレポート・メッセージをＭＴＣユーザ機器１から受信した後、修理工を派遣して、その正常動作を保証するために直ちにカメラを修理または交換することができる。
【００８３】
一実施形態では、ＭＴＣユーザ機器１が車載装置であり、所定のイベントが、車載装置が実装されたタクシーが指定区域を越えて移動することである場合、ＭＴＣサーバ２が第１のレポート・メッセージをＭＴＣユーザ機器１から受信した後、第１のレポート・メッセージの中に含まれるタクシーの地理的な位置情報に応じて、追加料金をテナントに課金することができる。
【００８４】
第１の伝送装置１０２が第１のレポート・メッセージをＭＴＣサーバ２に伝送した後、任意選択で、検出兼報告装置１０の中に含まれる第２の伝送装置１０３は、引き続き第２のレポート・メッセージをＭＴＣサーバ２に伝送することができる。
【００８５】
任意選択で、第１の伝送装置１０２が第１のレポート・メッセージをＭＴＣサーバ２に伝送した後、第２の伝送装置１０３は能動的に第２のレポート・メッセージをＭＴＣサーバ２に伝送することができる。例えば、第２の伝送装置１０３は周期的に第２のレポート・メッセージをＭＴＣサーバに伝送する。
【００８６】
あるいは、第２の伝送装置１０３は、受動的に第２のレポート・メッセージをＭＴＣサーバ２に伝送することができる。例えば、第２の伝送装置１０３は、ＭＴＣサーバ２から要求メッセージを受信するまで、第２のレポート・メッセージをＭＴＣサーバ２に伝送しない。
【００８７】
任意選択で、第２の伝送装置１０３は、ショート・メッセージ（ＳＭＳ）または汎用パケット無線サービス（ＧＰＲＳ）を介して、第２のレポート・メッセージをＭＴＣサーバに伝送する。
【００８８】
伝送エラーの発生、データの損失または他の状況を回避するために、一実施形態では、最初に、第２の伝送装置１０３の中に含まれる第２の符号化装置（簡潔にするために図３には示されず）は第２のレポート・メッセージを符号化し、次いで、第２の伝送装置１０３の中に含まれる第４の伝送装置（簡潔にするために図３には示されず）は符号化された第２のレポート・メッセージをＭＴＣサーバ２に伝送する。
【００８９】
任意選択で、符号化には、ターボ符号化、ＣＲＣ（巡回冗長検査）符号化、などが含まれるが、それらに限定されない。
【００９０】
別の実施形態では、第２の伝送装置１０３は、さらに第２のレポート・メッセージを１つまたは複数の到達可能なＭＴＣサーバに伝送することができる。
【００９１】
一実施形態では、ＭＴＣユーザ機器１は車載装置であり、所定のイベントは、車載装置が実装されたタクシーが指定区域を越えて移動することである。検出兼報告装置１０の中に含まれる第１の検出装置１０１が所定のイベントの発生を検出すると、第１の伝送装置１０２は第１のレポート・メッセージをＭＴＣサーバ２に伝送する。第１のレポート・メッセージは、ＭＴＣユーザ機器１が現在位置している地理的な位置情報を含む。
【００９２】
タクシーが指定区域を越えて移動し続けると、第２の伝送装置１０３は、第２のレポート・メッセージを介して、タクシーの地理的な位置情報をＭＴＣサーバに絶えず伝送する。
【００９３】
ＭＴＣサーバ２は、第２のレポート・メッセージの中に含まれる地理的な位置情報により、指定区域を越えたタクシーの移動経路を知り、それによってユーザに追加料金を課金することができる。
【００９４】
一実施形態では、ＭＴＣユーザ機器１は温度センサであり、所定のイベントは、温度センサによって測定された現在の周囲の温度値が所定の閾値を上回ることである。検出兼報告装置１０の中に含まれる第１の検出装置１０１が所定のイベントの発生を検出すると、第１の伝送装置１０２は第１のレポート・メッセージをＭＴＣサーバ２に伝送する。第１のレポート・メッセージは、温度センサによって測定された現在の周囲の温度値を含む。
【００９５】
その後、第１の検出装置１０１は、現在の周囲の温度値を絶えず検出し、第２のレポート・メッセージを介して、検出された現在の周囲の温度値を絶えずＭＴＣサーバ２に伝送する。
【００９６】
ＭＴＣサーバ２は、第２のレポート・メッセージの中に含まれる周囲の温度値に応じて、関連アクションを取って火事を防止する。
【００９７】
１台のＭＴＣユーザ機器１が所定のイベントが発生したかどうかを検出し、次いで、第１のレポート・メッセージをＭＴＣサーバに伝送する本発明の技術的解決策が単に例として上述されたことに留意されたい。
【００９８】
マシンタイプ通信ベースの通信システムの別の実施形態では、複数の関連ＭＴＣユーザ機器を含むことができ、複数の関連ＭＴＣユーザ機器が所定のイベントの発生を同時に検出すると、任意選択で、複数の関連ＭＴＣユーザ機器は、第１のレポート・メッセージを１つだけＭＴＣサーバに伝送することができる。
【００９９】
任意選択で、ＭＴＣサーバは、複数の関連ＭＴＣユーザ機器のうちのどの１台が、所定のイベントが発生すると第１のレポート・メッセージをＭＴＣサーバに伝送するかを、あらかじめ指定することができる。
【０１００】
あるいは、複数のＭＴＣサーバは、第１のレポート・メッセージをＭＴＣサーバに伝送するために、お互いに調整して複数のＭＴＣユーザ機器のうちの１台を選択することができる。
【０１０１】
多数のＭＴＣユーザ機器がある場合、任意選択で、リソースの利用率と伝送の信頼性との間のトレードオフを目的として、伝送される第１のレポート・メッセージを符号化しながら、伝送される第１のレポート・メッセージの数は可能なかぎり最大限に削減される。
【０１０２】
本発明が図面および前述の説明の中で詳細に説明され記載されたが、説明および記載は説明的および例示的であるが限定的ではなく、本発明は前述の実施形態に限定されないことが理解されよう。
【０１０３】
当業者は、記載、開示および図面だけでなく特許請求の範囲を調査して、開示された実施形態に対する他の変形形態を理解し実施することができる。特許請求の範囲において、用語「含む」は別の構成要素およびステップを排除するものではなく、用語「ａ」または「ａｎ」は複数形を排除するものではない。本発明の実際的応用において、１つの構成要素は、請求項に列挙された複数の技術的特徴の機能を実行することができる。図面の中のいかなる参照数字も、本発明の範囲を限定するものとは解釈されない。
【図１】
2013519263.tif 000003
【図２】
2013519263.tif 000004
【図３】
2013519263.tif 000005
【国際調査報告】
2013519263.tif 000006
2013519263.tif 000007